(57)【要約】【課題】需要者が所望する日付が表示されたタオルを容易に提供できるようにする。【解決手段】３６６種類のタオルからなるタオルセットであって、各種類のタオルＴ0101〜Ｔ1231には、１年のうちの各日付のうちの１つが表示される日付表示部２０が設けられている。また、各タオルＴ0101〜Ｔ1231には、日付表示部２０に表示されている日付に該当する誕生石を表示する誕生石表示部２２，星占いの星座を表示する星座表示部２４，月を示す図柄を表示する月図柄表示部１２が設けられている。【選択図】図１
2007100273.tif 000002
【特許請求の範囲】
【請求項１】
３６６種類のタオル又はハンカチからなるタオル又はハンカチのセットであって、
前記各種類のタオル又はハンカチには、１年のうちの各日付のうちの１つが表示されている、
タオル又はハンカチのセット。
【請求項２】
複数種類のタオル又はハンカチからなるタオル又はハンカチのセットであって、
前記各種類のタオル又はハンカチには、１年のうちの種々の日付のうちの１つが表示されている、
タオル又はハンカチのセット。
【請求項３】
請求項１又は請求項２に記載のタオル又はハンカチのセットであって、
前記各タオル又はハンカチには、表示されている日付に該当する誕生石が表示されている、
タオル又はハンカチのセット。
【請求項４】
請求項１〜請求項３のいずれかに記載のタオル又はハンカチのセットであって、
前記各タオル又はハンカチには、表示されている日付に該当する星占いの星座が表示されている、
タオル又はハンカチのセット。
【請求項５】
請求項１〜請求項４のいずれかに記載のタオル又はハンカチのセットであって、
前記各タオル又はハンカチには、表示されている日付に該当する月又は季節を示す図柄が表示されている、
タオル又はハンカチのセット。
【請求項６】
請求項１〜請求項５のいずれかに記載のタオル又はハンカチのセットであって、
前記各タオル又はハンカチにおいて、日付の表示及びその日付に関連する事項の表示以外についてのデザインに共通性がある、
タオル又はハンカチのセット。
【発明の詳細な説明】
【技術分野】
【０００１】
本発明は、タオル又はハンカチのセットに関するものである。
【背景技術】
【０００２】
一般的に、タオル又はハンカチは主として布によって形成されており、種々の図柄等が表示されている場合が多い。
【０００３】
ところで、需要者は、自分又は他の人（贈り先）の誕生日等、特別な記念の日に関連して商品を購入しようとする場合がある。
しかしながら、その商品自体にその日付が表示されていないと、本人以外の者にとってはその特別な記念の日の特定がしにくい場合もあるとともに、その記念の日の意味合いが不明瞭となるおそれがある。
そこで、需要者が商品を購入するにあたって、その商品に対してその日付が個別に表示される場合もある。
【０００４】
しかしながら、需要者の指定に応じて商品に対して所定の日付を個別に表示するのは煩雑である。
【特許文献１】なし
【発明の開示】
【発明が解決しようとする課題】
【０００５】
本発明は、タオル又はハンカチについて、需要者が所望する日付が表示されたものを容易に当該需要者に提供できるようにすることを課題とする。
【課題を解決するための手段】
【０００６】
上記の課題を解決するために、請求項１に係る発明は、３６６種類のタオル又はハンカチからなるタオル又はハンカチのセットであって、前記各種類のタオル又はハンカチには、１年のうちの各日付のうちの１つが表示されている、タオル又はハンカチのセットである。
【０００７】
「１年のうちの各日付のうちの１つが表示されている」とは、３６６種類のタオル又はハンカチに各日付が表示されることによって、１年の３６６日のすべての日付が網羅されていることをいう。
【０００８】
この発明のタオル又はハンカチのセットは、１年の３６６日に対応して３６６種類のタオル又はハンカチを有し、各種類のタオル又はハンカチには各日付のうちの１つが表示されている。このため、需要者は、そのセットの中から適宜選択することによって、自分の所望する日付が表示されたタオル又はハンカチを容易に購入することができる。一方、供給者は、需要者が所望する日付が表示されたタオル又はハンカチを当該需要者に対して容易に供給することができる。
【０００９】
請求項２に係る発明は、複数種類のタオル又はハンカチからなるタオル又はハンカチのセットであって、前記各種類のタオル又はハンカチには、１年のうちの種々の日付のうちの１つが表示されている、タオル又はハンカチのセットである。
【００１０】
この発明のタオル又はハンカチのセットは、複数のタオル又はハンカチからなり、各タオル又はハンカチには、１年の種々の日付のうちの１つが表示されている。このため、需要者は、そのセットの中から適宜選択することによって、自分の所望する日付が表示されたタオル又はハンカチを容易に購入することができる場合がある。一方、供給者は、需要者が所望する日付が表示されたタオル又はハンカチを当該需要者に対して容易に供給することが可能となり得る。
【００１１】
なお、この請求項２に係る発明の内容は、請求項１に係る発明の内容と類似するが、１年の３６６日のすべてが網羅されてはいない態様も含む点で、請求項１に係る発明と相違する。
【００１２】
請求項３に係る発明は、請求項１又は請求項２に係る発明のタオル又はハンカチのセットであって、前記各タオル又はハンカチには、表示されている日付に該当する誕生石が表示されている、タオル又はハンカチのセットである。
【００１３】
「誕生石が表示されている」とは、誕生石の名前（言語を問わない），誕生石を示す図柄等のうちの少なくとも１つが表示されていることを意味する。
【００１４】
この発明のタオル又はハンカチのセットでは、請求項１又は請求項２に係る発明のタオル又はハンカチのセットの作用効果に加えて、次の作用効果が得られる。
すなわち、この発明のタオル又はハンカチのセットでは、表示されている日付に該当する誕生石も表示されているため、より味わい深いものとなる。
【００１５】
請求項４に係る発明は、請求項１〜請求項３のいずれかに係る発明のタオル又はハンカチのセットであって、前記各タオル又はハンカチには、表示されている日付に該当する星占いの星座が表示されている、タオル又はハンカチのセットである。
【００１６】
「星占いの星座が表示されている」とは、星占いの星座の名前（言語を問わない），その星座を示す図柄等のうちの少なくとも１つが表示されていることを意味する。図柄には、その星座を写実的に表現したものや、シンボル的に表現したもの（記号等）がある。
【００１７】
この発明のタオル又はハンカチのセットでは、請求項１〜請求項３のいずれかに係る発明のタオル又はハンカチのセットの作用効果に加えて、次の作用効果が得られる。
すなわち、この発明のタオル又はハンカチのセットでは、表示されている日付に該当する星座も表示されているため、より味わい深いものとなる。
【００１８】
請求項５に係る発明は、請求項１〜請求項４のいずれかに係る発明のタオル又はハンカチのセットであって、前記各タオル又はハンカチには、表示されている日付に該当する月又は季節を示す図柄が表示されている、タオル又はハンカチのセットである。
【００１９】
「季節」としては、春夏秋冬の四季が代表例であるが、それに新年及び／又は梅雨の季節が加えられたものでもよい。
【００２０】
この発明のタオル又はハンカチのセットでは、請求項１〜請求項４のいずれかに係る発明のタオル又はハンカチのセットの作用効果に加えて、次の作用効果が得られる。
すなわち、この発明のタオル又はハンカチのセットでは、表示されている日付に該当する月又は季節を示す図柄も表示されているため、より味わい深いものとなる。
【００２１】
請求項６に係る発明は、請求項１〜請求項５のいずれかに係る発明のタオル又はハンカチのセットであって、前記各タオル又はハンカチにおいて、日付の表示及びその日付に関連する事項の表示以外についてのデザインに共通性がある、タオル又はハンカチのセットである。
【００２２】
「その日付に関連する事項の表示」には、その日付に該当する誕生石，星占いの星座，月又は季節を示す図柄等がある。「デザインに共通性がある」には、デザインが同一の場合と、ほぼ同一の場合がある。
【００２３】
この発明のタオル又はハンカチのセットでは、請求項１〜請求項５のいずれかに係る発明のタオル又はハンカチのセットの作用効果に加えて、次の作用効果が得られる。
すなわち、この発明のタオル又はハンカチのセットでは、各タオル又はハンカチにおけいて、日付の表示及びその日付に関連する事項の表示以外についてのデザインに共通性があるため、需要者がいずれの日付のタオル又はハンカチを所望する場合でも、その需要者は共通性のあるデザインのものを購入することができる。すなわち、ある日付のものを購入する場合とその他のある日付のものを購入する場合とでデザインが相違する、ということがないため、需要者がとまどうことが防止される。
【発明を実施するための最良の形態】
【００２４】
次に、本発明の一実施形態について、図面に基づいて説明する。
図１に示すように、このタオルセットは、１年の３６６日に対応して、３６６種類のタオルＴ0101〜Ｔ1231によって形成されている。
すなわち、このタオルセットを構成するタオル（Ｔ0101〜Ｔ1231）には、１月１日用のタオルＴ0101，１月２日用のタオルＴ0102，…，１月３１日用のタオルＴ0131，２月１日用のタオルＴ0201，…２月２９日用のタオルＴ0229，……，１２月３１日用のタオルＴ1231があり、１年の３６６日が網羅されている。
【００２５】
図１〜図６に示すように、各タオルＴ0101〜Ｔ1231の基本的デザインは同一である。すなわち、すべてのタオルＴ0101〜Ｔ1231には、一定の共通性のあるデザインが施されている。
すなわち、すべてのタオルＴ0101〜Ｔ1231は、同一の素材によって形成され、同一の大きさ及び形状を有している。この実施形態では若干縦長のほぼ正方形であるが、それに限らず、正方形，長方形，円形等、種々のものが適用され得る。
また、すべてのタオルＴ0101〜Ｔ1231の背景的な模様，色彩は同一である。すべてのタオルＴ0101〜Ｔ1231における文字及び図柄の配置には共通性がある。
すなわち、各タオルＴ0101〜Ｔ1231の各々同一箇所には、メイン図柄表示部１０，月図柄表示部１２，キャラクタ表示部１４，日付表示部２０，誕生石表示部２２，星座表示部２４が形成されている。
すべてのタオルＴ0101〜Ｔ1231のメイン図柄表示部１０には、同一のハート型の図柄が表示されている。すべてのタオルＴ0101〜Ｔ1231のキャラクタ表示部１４には、同一のキャラクタ（例えばネコを図案化したキャラクタ）が表示されている。
【００２６】
各タオルＴ0101〜Ｔ1231の日付表示部２０には、１年の３６６日に対応して、１年の３６６日のうちの各日付のうちの１つが表示されている、
すなわち、このタオルセットを構成するタオル（Ｔ0101〜Ｔ1231）には、１月１日用のタオルＴ0101，１月２日用のタオルＴ0102，…，１月３１日用のタオルＴ0131，２月１日用のタオルＴ0201，…２月２９日用のタオルＴ0229，……，１２月３１日用のタオルＴ1231があり（このことは前述）、各タオルＴ0101〜Ｔ1231の日付表示部２０には、その日付が表示されている。
【００２７】
例えば、１月２０日用のタオルＴ0120（図２）の日付表示部２０には「ＪＡＮＵＡＲＹ  ２０」と表示され、１月２１日用のタオルＴ0121（図３）の日付表示部２０には「ＪＡＮＵＡＲＹ  ２１」と表示されている。
また、４月１日用のタオルＴ0401（図４）の日付表示部２０には「ＡＰＲＩＬ  １」と表示され、８月１０日用のタオルＴ0810（図５）の日付表示部２０には「ＡＵＧＵＳＴ  １０」と表示され、１０月１５日用のタオルＴ1015（図６）の日付表示部２０には「ＯＣＴＯＢＥＲ  １５」と表示されている。
逆にいえば、例えば、図２に示すように、日付表示部２０に「ＪＡＮＵＡＲＹ  ２０」と表示されているタオルが、１月２０日用のタオルＴ0120である（他についても同様である）。
【００２８】
図１〜図６に示すように、各タオルＴ0101〜Ｔ1231の誕生石表示部２２には、日付表示部２０に表示された日付を誕生日とする誕生石を示す英語と、誕生石の色に対応した色彩の宝石の図柄が表示されている。なお、６月の「真珠」については、真珠のネックレスの図柄が表示されている（これについては図示省略）。
ここで、各月の誕生石及びその英語表記は、次のとおりである。
１月：ガーネット（Garnet）
２月：アメジスト（Amethyst）  
３月：アクアマリン（Aquamarine）又はブラッドストーン（Bloodstone）
４月：ダイヤモンド（Diamond）
５月：エメラルド（Emerald）
６月：真珠（Pearl）、ムーンストーン（Moonstone）又はアレキサンドライト（Alexandrite）
７月：ルビー（Ruby）
８月：ペリドット（Peridot）又はサードニックス（Sardonyx）
９月：サファイア（Sapphire）
１０月：オパール（Opal）又はトルマリン（Tourmaline）  
１１月：トパーズ（Topaz）又はシトリン（Citrine）
１２月：トルコ石（Turquoise）、ジルコン（Zircon）又はラピスラズリ（Lapis lazuli）
【００２９】
このため、例えば、１月用のタオルＴ0101〜Ｔ0131（例えば、１月２０日用のタオルＴ0120（図２），１月２１日用のタオルＴ0121（図３））の誕生石表示部２２には、「ＧＡＲＮＥＴ」という表示と、赤色の宝石の図柄が表示されている。
４月用のタオルＴ0401〜Ｔ0430（例えば、４月１日用のタオルＴ0401（図４））の誕生石表示部２２には、「ＤＩＡＭＯＮＤ」という表示と、白色の宝石の図柄が表示されている。
８月用のタオルＴ0801〜Ｔ0831（例えば、８月１０日用のタオルＴ0810（図５））の誕生石表示部２２には、「ＰＥＲＩＤＯＴ」という表示と、黄緑色の宝石の図柄が表示されている。
１０月用のタオルＴ1001〜Ｔ1031（例えば、１０月１５日用のタオルＴ1015（図６））の誕生石表示部２２には、「ＯＰＡＬ」という表示と、乳白色の宝石の図柄が表示されている。
【００３０】
各タオルＴ0101〜Ｔ1231の星座表示部２４には、日付表示部２０に表示された日付を誕生日とする星座（星占いの星座）を示す英語と、その記号が表示されている。
ここで、各星座及びその英語表記並びにそれに対応する期間は、次のとおりである。
おひつじ座 （Aries）   ： ３月２１日〜４月１９日
おうし座 （Taurus）    ： ４月２０日〜５月２１日
ふたご座 （Gemini）    ： ５月２２日〜６月２１日
かに座 （Cancer）      ： ６月２２日〜７月２３日
しし座 （Leo）         ： ７月２４日〜８月２２日
おとめ座 （Virgo）     ： ８月２３日〜９月２２日
てんびん座 （Libra）   ： ９月２３日〜１０月２３日
さそり座 （Scorpio）   ： １０月２４日〜１１月２２日
いて座 （Sagittarius） ： １１月２３日〜１２月２１日
やぎ座 （Capricorn）   ： １２月２２日〜１月２０日
みずがめ座 （Aquarius）： １月２１日〜２月１８日
うお座 （Pisces）      ： ２月１９日〜３月２０日
【００３１】
このため、例えば、１２月２２日〜１月２０日用のタオルＴ1222〜Ｔ0120（例えば、１月２０日用のタオルＴ0120（図２））の星座表示部２４には、「ＣＡＰＲＩＣＯＲＮ」という表示と、やぎ座を示す記号が表示されている。
１月２１日〜２月１８日用のタオルＴ0121〜Ｔ0218（例えば、１月２１日用のタオルＴ0121（図３））の星座表示部２４には、「ＡＱＵＡＲＩＵＳ」という表示と、みずがめ座を示す記号が表示されている。
３月２１日〜４月１９日用のタオルＴ0321〜Ｔ0419（例えば、４月１日用のタオルＴ0401（図４））の星座表示部２４には、「ＡＲＩＥＳ」という表示と、おひつじ座を示す記号が表示されている。
７月２４日〜８月２２日用のタオルＴ0724〜Ｔ0822（例えば、８月１０日用のタオルＴ0810（図５））の星座表示部２４には、「ＬＥＯ」という表示と、しし座を示す記号が表示されている。
９月２３日〜１０月２３日用のタオルＴ0923〜Ｔ1023（例えば、１０月１５日用のタオルＴ1015（図６））の星座表示部２４には、「ＬＩＢＲＡ」という表示と、てんびん座を示す記号が表示されている。
【００３２】
図１〜図６に示すように、各タオルＴ0101〜Ｔ1231の月図柄表示部１２には、日付表示部２０に表示された月を象徴する風物の図柄（正確には、それを含む図柄）が表示されている。
例えば、１月用のタオルＴ0101〜Ｔ0131（例えば、１月２０日用のタオルＴ0120（図２），１月２１日用のタオルＴ0121（図３））の月図柄表示部１２には、雪だるま及びスキーを示す図柄が表示されている。
４月用のタオルＴ0401〜Ｔ0430（例えば、４月１日用のタオルＴ0401（図４））の月図柄表示部１２には、土筆（つくし）を示す図柄が表示されている。
８月用のタオルＴ0801〜Ｔ0831（例えば、８月１０日用のタオルＴ0810（図５））の月図柄表示部１２には、海水浴を示す図柄が表示されている。
１０月用のタオルＴ1001〜Ｔ1031（例えば、１０月１５日用のタオルＴ1015（図６））の月図柄表示部１２には、ハロウイーンを示す図柄が表示されている。
なお、それらは、キャラクタ表示部１４において表示されたキャラクタの表示を含んでいる。
【００３３】
以上のように、このタオルセットでは、各日用のタオルＴ0101〜Ｔ1231の基本的なデザインは同一であるとともに、各日用のタオルＴ0101〜Ｔ1231には、３６６日の各日に対応する表示がされている。
このため、需要者は、予め用意された３６６種類のタオルＴ0101〜Ｔ1231のうちから、該当する日用のタオルを購入すればよい。
逆にいえば、タオルの供給者（販売者）は、予め３６６日の各日用のタオルＴ0101〜Ｔ1231を用意しているため、需要者の要望に応じて個別に日付を表示する必要がなく、需要者が所望する日付が表示されたタオルを容易に需要者に提供することができるのである。
【００３４】
また、このタオルセットでは、各タオルＴ0101〜Ｔ1231に単に日付が表示されているのみではなく、その日付に該当する誕生石，星座，月を象徴する図柄も表示されているため、より味わい深いものとなる。すなわち、日付のみでは無機的であるが、併せて誕生石，星座，月を象徴する図柄も表示されているため、より趣の深いものとされている。
【００３５】
なお、上記のものはあくまで本発明の一実施形態にすぎず、当業者の知識に基づき種々の変更を加えた態様で本発明を実施できることはもちろんである。
【００３６】
例えば、メイン図柄表示部１０，月図柄表示部１２，キャラクタ表示部１４，誕生石表示部２２，星座表示部２４のうちの一部又はすべては、必ずしも設けられる必要はない。
【００３７】
また、月図柄表示部１２のかわりに又は月図柄表示部１２と併せて、季節図柄表示部が設けられていてもよい。
その季節図柄表示部には、日付表示部２０に表示された日付に該当する季節を象徴する図柄が表示される。季節としては、春夏秋冬の四季が代表例であるが、それに新年及び／又は梅雨の季節が加えられたものでもよい。
【００３８】
また、各日付ごとに男性用と女性用の２種類のタオルが用意され、３６６×２＝７３２種類のタオルからなるタオルセットとされてもよい。
【００３９】
また、上記の実施形態は本発明がタオルセットに適用されたものであるが、ハンカチセットに適用されてもよい。
【図面の簡単な説明】
【００４０】
【図１】本発明の一実施形態のタオルセットの一覧を示す図である。
【図２】本発明の一実施形態のタオルセットのうちの１月２０日用のタオルを示す図である。
【図３】本発明の一実施形態のタオルセットのうちの１月２１日用のタオルを示す図である。
【図４】本発明の一実施形態のタオルセットのうちの４月１日用のタオルを示す図である。
【図５】本発明の一実施形態のタオルセットのうちの８月１０日用のタオルを示す図である。
【図６】本発明の一実施形態のタオルセットのうちの１０月１５日用のタオルを示す図である。
【符号の説明】
【００４１】
Ｔ0120  １月２０日用のタオル
Ｔ0121  １月２１日用のタオル
Ｔ0401  ４月１日用のタオル
Ｔ0810  ８月１０日用のタオル
Ｔ1015  １０月１５日用のタオル
１０  メイン図柄表示部
１２  月図柄表示部
１４  キャラクタ表示部
２０  日付表示部
２２  誕生石表示部
２４  星座表示部
【図１】
2007100273.tif 000003
【図２】
2007100273.tif 000004
【図３】
2007100273.tif 000005
【図４】
2007100273.tif 000006
【図５】
2007100273.tif 000007
【図６】
2007100273.tif 000008